(57)【要約】    【課題】  レプリカ非球面に反射抑制コートを形成した光学素子は、温度変化等によって安定的な反射抑制効果が得られない。    【解決手段】  ベース部材７ａと、該ベース部材上に設けられた、ベース部材とは線膨張係数が異なる樹脂層７ｂとを有する光学素子において、樹脂層に、入射光の波長よりも小さい周期を持つ微細周期構造を設ける。【選択図】  図１ 
2005062526.tif 000002
【特許請求の範囲】
【請求項１】
ベース部材と、
該ベース部材上に設けられた、前記ベース部材とは線膨張係数が異なる樹脂層とを有し、
前記樹脂層は、入射光の波長よりも小さい周期を持つ微細周期構造を有することを特徴とする光学素子。
【請求項２】
前記ベース部材は、ガラスにより形成されていることを特徴とする請求項１に記載の光学素子。
【請求項３】
前記樹脂層における前記微細周期構造が設けられた面が、非球面であることを特徴とする請求項１又は２に記載の光学素子。
【請求項４】
前記ベース部材における前記樹脂層が設けられた面が、球面であることを特徴とする請求項１から３のいずれか１つに記載の光学素子。
【請求項５】
前記微細周期構造を含む樹脂層は、レプリカ法により前記ベース部材上に形成されたことを特徴とする請求項１から４のいずれか１つに記載の光学素子。
【請求項６】
前記微細周期構造は、２次元方向に周期を持つことを特徴とする請求項１から５のいずれかに記載の光学素子。
【請求項７】
以下の条件を満足することを特徴とする請求項１から６のいずれか１つに記載の光学素子。
２０°＜θ＜９０°
但し、樹脂層における非球面の近似曲率半径をＲとし、該Ｒの曲率中心からこの光学素子の最大有効部を張る角度の全角をθとする。近似曲率半径とは、非球面の中心と有効最大周辺部を含む点とで定義される円の曲率半径とする。
【請求項８】
前記微細周期構造は、この光学素子の中心から周辺に向かって各構造部分のパラメータが連続的にまたは段階的に変化することを特徴とする請求項１から７のいずかれ１つに記載の光学素子。
【請求項９】
以下の条件のうち少なくとも１つを満足することを特徴とする請求項１から８のいずれか１つに記載の光学素子。
０．０１＜｜ｎｄ１−ｎｄ２｜＜０．５
０．５＜｜νｄ１−νｄ２｜＜４０
但し、前記樹脂層と前記ベース部材のｄ線における屈折率をそれぞれｎｄ１，ｎｄ２とし、アッベ数をνｄ１，νｄ２とする。
【請求項１０】
前記微細周期構造の周期Ｐは以下の条件を満足することを特徴とする請求項１から９のいずれか１つに記載の光学素子。
１００ｎｍ＜Ｐ＜３５０ｎｍ
【請求項１１】
請求項１から１０のいずれか１つに記載の光学素子を有することを特徴とする光学系。
【発明の詳細な説明】
【技術分野】
【０００１】
本発明は、微細周期構造を有する光学素子に関するものである。
【背景技術】
【０００２】
ビデオカメラ、デジタルスチルカメラ等の撮影光学系や液晶プロジェクタ等の投影光学系には、球面レンズや非球面レンズが用いられている。
【０００３】
このうち非球面レンズの製作法としは、ガラス研削法、ガラスモールド法、プラッチックモールド法、レプリカ法（型成形転写法）等がある。
【０００４】
但し、ガラス研削非球面レンズの場合は、レンズの硝種、大きさの制限はあまりなく、光学設計上の自由度が高い反面、１つずつの機械加工の時間を要するために非常に高価なものとなる。
【０００５】
また、ガラスモールド非球面の場合は、型で製作できるため比較的安価であるが、使用できるレンズの硝種が限られている。
【０００６】
また、プラッチックモールド非球面レンズの場合はインジェクション型成形で非常に安価に製作できる一方、光学プラスチック材料は数が限られたものしかなく、かつ屈折率が比較的低いものしかない。
【０００７】
これらに対し、レプリカ非球面レンズは、ベースの球面ガラスレンズの上に、非球面の樹脂層を形成したものである。従って、ベースレンズの硝種、大きさは研削非球面レンズと同じように制限をあまり受けない。また、非球面である樹脂層は型で製作することができるため、比較的安価である。
【０００８】
レプリカ非球面レンズは、ガラスレンズ上に樹脂の非球面層を形成する構成上、レンズ面反射ゴースト、フレアーを軽減させるために、通常は樹脂の非球面上に反射抑制コートが必要となる。
【０００９】
レプリカ樹脂材は、それ自体の屈折率が低いことや、コートの成膜時に温度をあまり上げることができないため、密着性を向上させる必要性もあり、通常は反射抑制コートは多層膜の構成となる。
【００１０】
一方、反射抑制機能を得るために、ベース部材上に入射光の波長よりも小さい周期（格子ピッチ）を有する微細周期（格子）構造を形成した光学素子も特許文献１にて提案されている。
【特許文献１】特開２００１−１８３５０６号公報（段落００１６〜００２０、図３、図４等）
【発明の開示】
【発明が解決しようとする課題】
【００１１】
しかしながら、レプリカレンズの環境温度が変化した場合、ベースガラスの線膨張係数と樹脂の線膨張係数との差が大きいため、ガラスと樹脂層との境界面に大きな応力が発生する。さらに、樹脂層上に形成された反射抑制コートの材料の線膨張係数も樹脂層の線膨張係数と異なるために、これらの境界面にも応力が発生する。
【００１２】
特に、ガラスレンズが球面であり、樹脂層が非球面である場合は、樹脂層の肉厚差やその変化量が大きくなるために、環境温度が変化した場合に、樹脂の線膨張係数がガラスの線膨張係数よりかなり大きく、また樹脂層のガラスレンズ側の面がガラスレンズに固定されているために、樹脂の表面（非球面）に複雑なかつ大きな応力が発生し、反射抑制コートの膜がはがれたり、クラックが発生したりする問題がある。
【００１３】
また、通常、レプリカ樹脂層は吸水性を有している。このため、環境湿度が変化すると膨潤する。この場合も、環境温度が変化したときと同様に、樹脂層が非球面であると、そこに発生する応力が大きくなり、上記と同様の問題が生じる。
【００１４】
近似曲率半径Ｒが深い（小さい）非球面をレプリカ法により製作する場合、製作上はレンズの偏肉比の悪影響をほとんど受けないため、比較的簡単に製作することが可能である。
【００１５】
しかし、近似曲率半径（非球面の中心と有効最大周辺部を含む点とで定義される円の曲率半径）が深い（小さい）レンズに真空蒸着法で反射抑制コートを形成すると、レンズの中心部と周辺部とでは膜厚が異なってしまい、所望の特性が得られない。特に、前述したようにレプリカレンズは通常、反射抑制膜として多層膜を形成するために、中心と周辺部とでの反射抑制特性が大きく異なってしまう。
【課題を解決するための手段】
【００１６】
上記の課題を解決するために、本発明では、ベース部材と、該ベース部材上に設けられた、ベース部材とは線膨張係数が異なる樹脂層とを有する光学素子において、上記樹脂層に、入射光の波長よりも小さい周期の微細周期構造（格子構造）を形成している。
【発明の効果】
【００１７】
以上説明したように、本発明によれば、レプリカ非球面上に入射光の波長より小さい周期を持った微細周期構造を設けることにより、温度や湿度の環境特性の変化に強く、安定した、かつ良好な反射抑制効果を得ることができる。
【００１８】
特に、レプリカ非球面のように、樹脂層の厚みの変化が大きいものや、非球面の曲率中心が小さい場合にも効果的であるため、非球面を用いた光学系の設計の自由度を増加させることができる。したがって、光学系の小型化や高性能化に有効である。
【００１９】
さらに、微細周期構造を、レプリカ非球面と同時に型成形することにより、ローコスト化にも効果がある。
【００２０】
また、微細周期構造を２次元方向に周期を持つように形成することで、光の振動方向での透過依存性の少ない反射抑制特性を得ることができる。
【００２１】
また、２０°＜θ＜９０°を満足することにより、画角の広範囲にわたり非球面での歪曲収差等の効果的な補正を行うことができるとともに、微細な格子構造をレプリカ法で容易に形成することができる。
【００２２】
また、微細格子構造を、レンズの中心から周辺に向かって構造のパラメータが連続的に又は段階的に変化するようにすれば、光線入射角度が不規則に変動する場合でも、最適な反射抑制効果を得ることができる。
【００２３】
また、０．０１＜｜ｎｄ１−ｎｄ２｜＜０．５，０．５＜｜νｄ１−νｄ２｜＜４０を満足することにより、レプリカ樹脂層とベース材料との接合面の曲率における光学系の球面収差やコマ収差の補正を効果的に行うことができるとともに、レプリカ樹脂層とベース材料との境界での面反射を抑制することができる。しかも、レプリカ樹脂層とベース材料との接合面での軸上色収差や倍率色収差の補正効果が得られるとともに、非球面光学素子で発生する色の球面収差を抑制することができる。
【００２４】
さらに、１００ｎｍ＜Ｐ＜３５０ｎｍを満足することにより、格子形状の製作が容易で、フレアー成分の発生を抑えることができる。
【発明を実施するための最良の形態】
【００２５】
以下、本発明の実施例について図面を参照しながら説明する。
【実施例１】
【００２６】
図１には、本発明の実施例１である撮影光学系を示す。図１において、１〜７は撮影光学系を構成するレンズを表し、８は絞り位置、９は結像面（ＣＣＤやＣＭＯＳセンサ等の撮像素子又はフィルムの位置）を示す。
【００２７】
１０ａは結像面９の中心に結像する光束（中心部光束）を表し、１０ｂは周辺部に結像する光束（周辺部光束）を表している。
【００２８】
レンズ１〜７のうち、レンズ６が結像面側の面が非球面となっているレンズであり、ガラスモールド法やプラッチックモールド法によって作られる。
【００２９】
また、レンズ７は被写体側の面が非球面となっているレンズである。このレンズ７は、両面が球面であるガラスレンズ（ベース部材）７ａと、このガラスレンズ７ａの被写体側の球面上にレプリカ法によって形成された、被写体側の面が非球面７ｃである比較的薄い樹脂層７ｂとから構成される非球面レンズであり、いわゆるレプリカ非球面レンズと呼ばれるものである。樹脂層７ｂは、例えば、紫外線硬化樹脂により形成されている。
【００３０】
そして、樹脂層７ｂの非球面（表面）７ｃ上には、図３に示すように２次元方向に周期を持つよう配列された、図４に示すような断面が三角形状（三角柱形状）の微細な、すなわち入射光の波長（本レンズに入射する光の設計上の波長。例えば、可視光領域の波長）よりも小さい周期を持つ微細周期構造（以下、微細格子構造という）が非球面と一体的に形成されている。このように、２次元方向に周期を持つ格子構造とすることにより、光の振動方向での透過依存性の少ない反射抑制特性を得ることができる。
【００３１】
この微細格子構造は、レプリカ非球面を転写するための型の上に、微細格子構造を形成するための形状を作ることにより、非球面を形成するのと同時に形成される。これにより、安定した非球面形状と微細格子構造とを得ることができ、非球面に微細格子構造による反射抑制機能を持たせることができる。また、この方法により、レプリカ非球面レンズをローコスト化することもできる。
【００３２】
このような微細格子構造が有する反射抑制原理について説明する。入射光の波長よりも小さい周期を有する微細格子構造は、いわゆる０次格子としての条件を満たす格子ピッチＰが選択される。
【００３３】
微細格子構造８は、ＳＷＳ（subwave structure ）と称され、通常の回折格子よりも格子ピッチが１桁から２桁小さいものであり、回折作用を有さない０次光の使用を対象としている。
【００３４】
０次格子とは、周期状の微細格子構造において０次以外の回折光が生じない格子である（Optical Society of America Vol.11,No10/October 1994/J.Opt.Soc.Am.A p2695 参照）。
【００３５】
通常、周期性を持つ微細格子構造では、回折の条件式である、
Ｐ（ｎｓ・sinθｍ−ｎｉ・sinθi）＝ｍλ      …（１）
但し、Ｐ：格子ピッチ
ｎｉ：入射側の格子構造の媒質の屈折率
θｉ：入射角度
θｍ：ｍ次の回折角度
ｎｓ：出射側の構造格子の媒質の屈折率
ｍ：回折次数
λ：使用波長
を満たす回折角度で回折光が発生する。
【００３６】
条件式（１）より明らかであるが、回折角度θｍは、
θｍ≧θ1（ｍ＝１）
である。
【００３７】
上記「Optical Society of America」では、＋１次の回折光が発生しない条件として、垂直入射のときは、
θ＋１≧９０°      …（２）
であるので、
Ｐ＜λ／（ｎｓ＋ｎｉ・sinθｉ）      …（３）
が０次格子の条件であることが示されている。
【００３８】
なお、最軸外のときはθ＋１が９０度以上となり、格子ピッチＰは更に小さいピッチとなる。入射角度が０度以外のときは格子ピッチＰを更に小さくする必要がある。
【００３９】
また、非球面樹脂層の近似曲率半径をＲとして、Ｒの曲率中心から見た非球面レンズの最大有効部の全角をθとしたとき、下記条件式を満足するとよい。        
【００４０】
２０°＜θ＜９０°    …（４）
但し、近似曲率半径とは、非球面の中心と有効最大周辺部を含む点とで定義される円の曲率半径である。
【００４１】
この条件式（４）の下限を超えると、画角の広範囲にわたり非球面での歪曲収差等の効果的な補正を得ることが難しくなり、上限を超えると面法線に対する微細な格子構造をレプリカ法で形成することが難しくなり、形状精度の劣化のために反射抑制効果も急激に減少する。
【００４２】
ここで、微細格子構造は、レンズの中心から周辺に向かって構造のパラメータ（形状や寸法）が連続的に又は段階的に変化するようにしてもよい。
【００４３】
前述したように、面に対する光線の入射角度条件が異なる場合、最適な反射抑制特性を得るための、格子のピッチや形状が異なる。このため、希望する中心から周辺への反射抑制特性に合わせて、格子の条件（構造パラメータ）を変化させるとよい。特に、非球面では、中心から周辺において面法線に対して光線入射角度が不規則に変動するために、これに合わせて最適な格子の条件を設定することにより、最適な反射抑制効果を得ることができる。
【００４４】
さらに、樹脂層とベース材のｄ線に対する屈折率をそれぞれｎｄ１，ｎｄ２とし、アッベ数をνｄ１，νｄ２としたとき、下記条件式の少なくとも１つを満足するようにするとよい。
【００４５】
０．０１＜｜ｎｄ１−ｎｄ２｜＜０．５    …（５）
０．５＜｜νｄ１−νｄ２｜＜４０      …（６）
条件式（５）の下限を超えると、レプリカ樹脂層とベース材料（本実施例では、ガラス）との接合面における屈折率差が小さくなるために、接合面の曲率における光学系の球面収差やコマ収差の補正に効果を得ることが困難となる。また、上限を超えると、レプリカ樹脂層とベース材料との境界での面反射が強くなりすぎ、ゴーストの強度が増加するために性能が劣化する。
【００４６】
一方、条件式（６）の下限を超えると、レプリカ樹脂層とベース材料との接合面での軸上色収差や倍率色収差の補正効果がほとんど得られなくなり、上限を超えると、非球面レンズで発生する色の球面収差量が大きくなりすぎるために、補正が難しくなってくる。
【００４７】
さらに、微細格子構造の周期（格子ピッチ）Ｐは下記条件式を満足するとよい。
【００４８】
１００ｎｍ＜Ｐ＜３５０ｎｍ    …（７）
この条件は、撮影光学系で使用される可視波長域（概ね４００〜７００ｎｍ）での反射抑制効果を得るためのものであり、下限を超えると格子形状の製作難易度が高くなりすぎ、製造誤差による散乱光が増加する。また上限を超えると、可視短波長域での回折光が発生してくるためにフレアー成分となり、画像性能に悪影響を与える。
【００４９】
前述した「Optical Society of America」の中に記載されているのと同様な、本実施例のレプリカ非球面の表面での中心光線（入射角度０度）に対する反射特性は、図６に破線Ｇ１で示すようになる。また、参考に蒸着薄膜での反射特性として、ＰＭＭＡ（polymethylmethacrylate）基板上に形成された単層コート（ＭＣ）の反射特性を実線Ｇ２で、ＰＭＭＡ基板上に形成された多層コート（ＨＣ１１）の反射特性を実線Ｇ３で示している。
【００５０】
また、レプリカ非球面の表面での周辺光線（入射角度３０度）に対する反射特性を図７に破線Ｇ１１で示す。参考に蒸着薄膜での反射特性として、単層コートの反射特性を実線Ｇ１２で、多層コートの反射特性を実線Ｇ１３で示している。
【００５１】
この２つのグラフから判るように、レプリカ非球面の表面での可視領域波長における反射特性は低く（単層コートに比べて大幅に低く、波長約０．５μｍ〜０．６２μｍでは多層コートよりも低い）、透過特性が非常に良好である。
【００５２】
本実施例のレプリカ非球面レンズ７の数値実施例を以下に示す。
【００５３】
格子寸法（寸法の意味は図３に示す。２次元形状は図４に示す。）
d=0.60μm、Λx=0.20μm、Λy=0.20μm
レプリカ非球面レンズ７
曲率半径      中心厚      ｎｄ      νｄ      有効径
ｒ１  ＊非球面      0.05      1.524210    51.39      17.0
ｒ２  -11.905       1.50      1.80400     46.58      17.1
ｒ３ -119.861                                        22.1
非球面係数（ｒ１）
Ｒ＝-7.82189
ｋ＝-1.0033
Ｂ＝ 1.39577Ｅ-4
Ｃ＝ 2.78432Ｅ-6
Ｄ＝-4.68159Ｅ-8
Ｅ＝ 2.23446Ｅ-10
Ｆ＝ 0
但し、非球面形状は次の関係式で定義される。
【００５４】
ｈ２/Ｒ
Ｘ＝-------------------- +Ｂｈ４+Ｃｈ６+Ｄｈ８+Ｅｈ１０+Ｆｈ１２
1+√(1-(1+ｋ)(ｈ/Ｒ)２)
但し、ｈ＝√（Ｙ２＋Ｚ２）
Ｒ＝-11.68
θ＝72.1度
｜ｎｄ１−ｎｄ２｜＝0.27979
｜νｄ１−νｄ２｜＝4.81
Ｐ＝200ｎｍ
【実施例２】
【００５５】
図２に本発明の実施例２である撮影光学系を示す。図２において、１１〜１９は撮影光学系を構成するレンズを表し、２０は絞り位置、２１は結像面を示す。
【００５６】
１０ａは結像面２０の中心に結像する光束（中心光束）を表し、１０ｂは周辺部に結像する光束（周辺光束）を表している。
【００５７】
レンズ１１〜１９のうち、レンズ１２は結像側の面が非球面である非球面レンズである。この非球面レンズ１２は、両面が球面であるガラスレンズ（ベース部材）１２ａと、このガラスレンズ１２ａの結像面側の球面上にレプリカ法によって形成された、結像面側が非球面１２ｃである比較的薄い樹脂層１２ｂとから構成されたレプリカ非球面レンズである。樹脂層１２ｂは、例えば、紫外線硬化樹脂により形成されている。
【００５８】
そして、樹脂層１２ｂの非球面（表面）１２ｃ上には、図３に示すように２次元方向に周期を持つよう配列された、角柱形状（矩形の断面形状）の微細な（入射光の波長よりも小さい周期を持つ）な格子構造が非球面と一体的に形成されている。このように、２次元方向に周期を持つ微細格子構造とすることにより、光の振動方向での透過依存性の少ない反射抑制特性を得ることができる。
【００５９】
なお、本実施例でも、条件式（４）〜（７）を満たすとよい。
【００６０】
本実施例のレプリカ非球面の表面での中心光線（入射角度０度）に対する反射特性は、図６に破線Ｇ４で示すグラフのようになる。また、レプリカ非球面の表面での周辺光線（入射角度３０度）に対する反射特性を図７に破線Ｇ１４で示す。
【００６１】
この２つのグラフから判るように、レプリカ非球面の表面での可視領域波長における反射特性は低く（単層コートに比べて大幅に低く、波長約０．４７μｍ〜０．６０μｍでは多層コートよりも低い）、透過特性が非常に良好である。
【００６２】
本実施例のレプリカ非球面レンズ１２の数値実施例を以下に示す。
【００６３】
格子寸法（寸法の意味は図３に示す。２次元形状は図５に示す。）
d=0.60μm、Λx=0.3 0μm、Λy=0.30μm
レプリカ非球面レンズ１２
曲率半径     中心厚      ｎｄ      νｄ    有効径
ｒ１  -3023.7      1.20      1.72000    50.22    26.1
ｒ２     21.524    0.05      1.51282    50.86    24.1
ｒ３  ＊非球面                                   24.1
非球面係数（ｒ３）
Ｒ＝18.0535    
ｋ＝ 0.0
Ｂ＝-2.73895E-5
Ｃ＝-1.19381E-7
Ｄ＝ 3.62895E-10
Ｅ＝-1.91189E-12
Ｆ＝ 0
Ｒ＝21.45
θ＝58.7度
｜ｎｄ１−ｎｄ２｜＝0.20718
｜νｄ１−νｄ２｜＝0.64
Ｐ＝300ｎｍ
【実施例３】
【００６４】
図８に本発明の実施例３である撮影光学系を示す。図８において、３１〜３９は撮影光学系を構成するレンズを表し、４０は絞り位置、４１は結像面を示す。
【００６５】
１０ａは結像面４０の中心に結像する光束（中心光束）を表し、１０ｂは周辺部に結像する光束（周辺光束）を表している。
【００６６】
レンズ３１〜３９のうち、レンズ３２は結像側の面が非球面である非球面レンズである。この非球面レンズ３２は、両面が球面であるガラスレンズ（ベース部材）３２ａと、このガラスレンズ３２ａの結像面側の球面上にレプリカ法によって形成された、結像面側が非球面３２ｃである比較的薄い樹脂層３２ｂとから構成された非球面レンズであり、いわゆるレプリカ非球面レンズである。樹脂層３２ｂは、例えば、紫外線硬化樹脂により形成されている。
【００６７】
そして、樹脂層３２ｂの非球面（表面）３２ｃ上には、図３に示すような２次元方向に周期を持つよう配列された、図４に示すような三角柱形状（三角形の断面形状）の微細な（入射光の波長よりも小さい周期を持つ）格子構造が非球面と一体的に形成されている。このように、２次元方向に周期を持つ微細格子構造とすることにより、光の振動方向での透過依存性の少ない反射抑制特性を得ることができる。
【００６８】
なお、本実施例でも、条件式（４）〜（７）を満たすとよい。
【００６９】
本実施例のレプリカ非球面レンズ１２の数値実施例を以下に示す。
【００７０】
格子寸法（寸法の意味は図３に示す。２次元形状は図４に示す。）
d=0.60μm、Λx=0.15μm、Λy=0.15μm
レプリカ非球面レンズ３２
曲率半径     中心厚     ｎｄ      νｄ    有効径
ｒ１  -447.52      1.40     1.71300    53.84    30.3
ｒ２    71.382     0.05     1.52421    51.39    29.9
ｒ３  ＊非球面                                  29.7
非球面係数（ｒ３）
Ｒ＝56.149    
ｋ＝ 0.0
Ｂ＝-4.30753E-6
Ｃ＝-4.3033E-10
Ｄ＝-1.17078E-10
Ｅ＝ 4.32811E-13
Ｆ＝-1.22682E-15
Ｒ＝70.01
θ＝２４．０度
｜ｎｄ１−ｎｄ２｜＝0.18879
｜νｄ１−νｄ２｜＝2.45
Ｐ＝150ｎｍ
なお、上記各実施例では、カメラの撮影光学系に用いられるレプリカ非球面レンズ（光学素子）に微細周期構造を設けた場合について説明したが、本発明は液晶プロジェクタ等の投射型画像表示装置の投射光学系やこれら以外の光学系に用いられるレプリカ非球面レンズに微細周期構造を設ける場合にも適用することができる。
【００７１】
また、本発明は、球面レンズに微細周期構造を設ける場合にも適用することができる。
【図面の簡単な説明】
【００７２】
【図１】本発明の実施例１である撮影光学系の構成図。
【図２】本発明の実施例２である撮影光学系の構成図。
【図３】本発明の各実施例に用いられる微細格子構造の寸法および形状を３次元的に示す図。
【図４】本発明の実施例１，３に用いられる微細格子構造の断面形状を示す図。
【図５】本発明の実施例２に用いられる微細格子構造の断面形状を示す図。
【図６】上記実施例１，２のレプリカ非球面の反射特性（光線入射角度０度）を示すグラフ。
【図７】上記実施例１，２のレプリカ非球面の反射特性（光線入射角度３０度）を示すグラフ。
【図８】本発明の実施例３である撮影光学系の構成図。
【符号の説明】
【００７３】
１〜５，１１，１３〜１９，３１，３３〜３９  球面レンズ
６  非球面レンズ
７，１２，３２  レプリカ非球面レンズ
８，２０，４０  開口絞り
９，２１，４１  結像面
１０ａ  中心光束
１０ｂ  周辺光束
【図１】
2005062526.tif 000003
【図２】
2005062526.tif 000004
【図３】
2005062526.tif 000005
【図４】
2005062526.tif 000006
【図５】
2005062526.tif 000007
【図６】
2005062526.tif 000008
【図７】
2005062526.tif 000009
【図８】
2005062526.tif 000010